(57)【要約】  【課題】ミラー又はルーペとして使用できるとともに、拡大ミラーとしても使用可能な携帯用備品を提供する。  【解決手段】片面側にミラー２が設けられた一方側基材５と、拡大レンズ部３が設けられた他方側基材８とを同一軸４により回動自在に連結するとともに、前記一方側基材５と他方側基材８とを重ね合わせた際、前記ミラー２と拡大レンズ３とが重ね合わさり拡大ミラーとなるようにする。前記一方側基材５又は他方側基材８に紐、チェーン、ストラップを取り付け、アクセサリーとする。【選択図】図１
2006288677.tif 000002
【特許請求の範囲】
【請求項１】
片面側にミラーが設けられた一方側基材と、拡大レンズ部が設けられた他方側基材とを同一軸により回動自在に連結するとともに、前記一方側基材と他方側基材とを重ね合わせた際、前記ミラーと拡大レンズとが重ね合わさり拡大ミラーとなるようにしたことを特徴とする携帯用備品。
【請求項２】
片面側にミラーが設けられた一方側基材と、拡大レンズ部が設けられた他方側基材とをスライド可能に連結するとともに、前記一方側基材と他方側基材とを重ね合わせた際、前記ミラーと拡大レンズとが重ね合わさり拡大ミラーとなるようにしたことを特徴とする携帯用備品。
【請求項３】
前記一方側基材又は他方側基材に紐、チェーン、ストラップを取り付けた請求項１、２いずれかに記載の携帯用備品。
【発明の詳細な説明】
【技術分野】
【０００１】
本発明は、ミラー又はルーペとして使用できるとともに、拡大ミラーとしても使用可能な携帯用備品に関する。
【背景技術】
【０００２】
日常生活において、外出時の化粧直しや身だしなみのチェック等のための手鏡、ポケット鏡、ひげ剃り鏡等の小さな鏡が重宝されている（例えば、下記特許文献１〜３参照）。また、弱視や老眼などにより小さな字が読みづらくなった人にとっては、雑誌や新聞などを読む際に活字を大きく表示するのにルーペが重宝されている（例えば、下記特許文献４，５参照）。
【特許文献１】特開平１１−２９０１２５号公報
【特許文献２】実開平６−７９４２１号公報
【特許文献３】実用新案登録第３０７６６０１号公報
【特許文献４】特開２００１−５３８５２号公報
【特許文献５】実用新案登録第３１０６５５６号公報
【発明の開示】
【発明が解決しようとする課題】
【０００３】
しかしながら、前記ミラーとルーペとを使用する機会のある人は、これら両方を持ち歩く必要がある。また、アイシャドーやつけ睫毛などの化粧に際しては、これらの部分が拡大して写される拡大ミラーが重宝されているが、一般的な携帯用手鏡では拡大ミラー機能を併有するものは少ない。
【０００４】
そこで本発明の主たる課題は、ミラー又はルーペとして使用できるとともに、拡大ミラーとしても使用可能な携帯用備品を提供することにある。
【課題を解決するための手段】
【０００５】
前記課題を解決するために請求項１に係る本発明として、片面側にミラーが設けられた一方側基材と、拡大レンズ部が設けられた他方側基材とを同一軸により回動自在に連結するとともに、前記一方側基材と他方側基材とを重ね合わせた際、前記ミラーと拡大レンズとが重ね合わさり拡大ミラーとなるようにしたことを特徴とする携帯用備品が提供される。
【０００６】
請求項２に係る本発明として、片面側にミラーが設けられた一方側基材と、拡大レンズ部が設けられた他方側基材とをスライド可能に連結するとともに、前記一方側基材と他方側基材とを重ね合わせた際、前記ミラーと拡大レンズとが重ね合わさり拡大ミラーとなるようにしたことを特徴とする携帯用備品が提供される。
【０００７】
上記請求項１，２記載の本発明においては、片面側にミラーが設けられた一方側基材と、拡大レンズ部が設けられた他方側基材とを同一軸により回動自在に連結するか、スライド可能に連結するとともに、前記一方側基材と他方側基材とを重ね合わせた際、前記ミラーと拡大レンズとが重ね合わさり拡大ミラーとなるようにした。従って、ミラー又はルーペとして使用できるとともに、これら機能を合体させることにより拡大ミラーとしても使用可能な携帯用備品を提供することができる。
【０００８】
請求項３に係る本発明として、前記一方側基材及び／又は他方側基材に紐、チェーン、ストラップを取り付けた請求項１、２いずれかに記載の携帯用備品が提供される。
【０００９】
上記請求項３記載の本発明では、前記一方側基材及び／又は他方側基材に紐、チェーン、ストラップを取り付けて、ペンダント、キーホルダー又は携帯電話用ストラップとするものである。この場合、前記一方側基材又は他方側基材の外面に動物や昆虫、他の様々なデザインをあしらい、意匠性を高めるようにするのが望ましい。
【発明の効果】
【００１０】
以上詳説のとおり本発明によれば、ミラー又はルーペとして使用できるとともに、拡大ミラーとしても使用可能な携帯用備品を得ることができる。
【発明を実施するための最良の形態】
【００１１】
以下、本発明の実施の形態について図面を参照しながら詳述する。
図１は本発明のアクセサリー１の展開状態を示す側面図、右正面図、左正面図であり、図２は前記アクセサリー１の閉じた状態を示す側面図、右正面図、左正面図である。
【００１２】
本アクセサリー１は、片面側にミラー２が設けられた一方側基材５と、拡大レンズ部３が設けられた他方側基材８とを同一軸４により回動自在に連結するとともに、図２に示されるように、前記一方側基材５と他方側基材８とを重ね合わせた際、前記ミラー２と拡大レンズ３とが重ね合わさり拡大ミラーとなるようにしたものである。
【００１３】
以下、具体的に詳述する。
【００１４】
前記一方側基材５は、例えば樹脂等からなる略円形の平板状部材であり、一方面側にミラー嵌設用凹部５ａが形成され、前記ミラー嵌設用凹部５ａに対して、表面が同面となるようにミラー２が嵌設されている。本形態例では、前記一方側基材５の他方面側にテントウ虫のデザインがあしらわれ、意匠的工夫が成されている。また、前記一方側基材５の周部（図中下側部）には軸部４が突設されている。なお、前記一方側基材５の形状や表面に施す模様、色彩等は任意とされ、例えば、動物や花、他の昆虫等、任意のデザインをあしらうことができる。
【００１５】
前記他方側基材８は、例えば透明樹脂又はガラス等からなる略円形の平板状部材であり、図中に鎖線で示す円形部分が凸レンズ状に増厚され拡大レンズ部３が形成されている。また、前記他方側基材８の上部には軸孔８ａが形成されるとともに、下部には紐、チェーン、ストラップなどの取付け用孔部８ｂが形成されている。
【００１６】
前記一方側基材５と他方側基材８とは、一方側基材５に設けられた軸部４と、他方側基材８に形成された軸孔８ａとが嵌合され、前記軸部４を回転中心として、回動自在に連結されている。
【００１７】
従って、図１に示されるように、前記一方側基材５と他方側基材８とを重ならないように開いた状態では、前記一方側基材５に設けられたミラー２を化粧直しや身だしなみのチェック等に単独で使用することが可能であるとともに、前記他方側基材８に形成された拡大レンズ部３により雑誌や新聞等の活字を拡大して見ることができる。
【００１８】
また、図２に示されるように、前記一方側基材５と他方側基材８とを重ね合わせると、ミラー２と拡大レンズ部３とが重ね合わさり、目や眉などを拡大して見るための拡大ミラーとして使用することが可能である。
【００１９】
前記アクセサリー１は、図３に示されるように、前記他方側基材８に設けた取付け用孔部８ｂに紐、チェーン、ストラップ７などを連結し、ペンダント、ストラップ、キーホルダーなどとして使用することが可能である。
【００２０】
〔他の形態例〕
(1)上記形態例では、前記一方側基材５と他方側基材８とを軸によって回動自在に連結するようにしたが、図４に示されるように、ミラー２を備えた一方側基材５と、拡大レンズ部３を備えた他方側基材８とをスライド可能に保持するようにしてもよい。このようなスライド形式であっても、上記形態例と同様に、一方側基材５と他方側基材８とをスライド展開した状態ではミラー又はルーペとして使用でき、前記一方側基材５と他方側基材８とを重ねた状態ではミラー２と拡大レンズ部３とが重なり拡大ミラーとして使用することが可能である。
(2)上記形態例では、他方側基材８に取付け用孔部８ｂを設けるようにしたが、軸部４に中空孔を形成し、この中空孔に紐、チェーン、ストラップ７などを連結するようにしてもよい。
(3)上記形態例では、一方側基材５と他方側基材８との形状を一致させたが、両者の形状は必ずしも一致しなくてもよい。要は、重ねた際に、一方側基材５に設けたミラー２と他方側基材８に形成した拡大レンズ部３との一部又は全部が重なるようにすればよい。
(4)上記形態例では、他方側基材８側において、素材ベースを透明樹脂またはガラスとし、肉厚変化によって拡大レンズ部３を形成するようにしたが、例えばベース基材に枠部を形成し、この枠部に対して別体の凸レンズを嵌設するようにしてもよい。
【図面の簡単な説明】
【００２１】
【図１】本発明のアクセサリー１の展開状態を示す、(A)は側面図、(B)は左正面図、(C)は右正面図である。
【図２】アクセサリー１の閉じた状態を示す、(A)は側面図、(B)は左正面図、(C)は右正面図である。
【図３】アクセサリー１にストラップ７等を付けた正面図である。
【図４】一方側基材５と他方側基材８とをスライド可能に結合した場合の正面図である。
【符号の説明】
【００２２】
１…アクセサリー、２…ミラー、３…拡大レンズ部、４…軸部、５…一方側基材、７…ストラップ、８…他方側基材
【図１】
2006288677.tif 000003
【図２】
2006288677.tif 000004
【図３】
2006288677.tif 000005
【図４】
2006288677.tif 000006